(57)【要約】【課題】  本発明は、上記した従来の問題点に鑑みてなされたものであって、バネによる付勢など必要とせず、容易に折り畳み、開くことが可能で、開いた状態における安定性の良好な折り畳み構造及び折り畳み椅子の提供を目的とする。【解決手段】折り畳み構造２０は、一対の前脚２をなす第１部材５と一対の後脚３をなす第２部材４とが第１枢支部６を介して前後折り畳み自在となるように側面視略Ｘ字状に連結され、一対の第２部材４の上端部が台板１０の下面に第２枢支部１２を介して上下揺動自在に連結され、第１枢支部６よりも上方位置の第１部材６に、台板１０の後端部を支持するための支持部材１１を設け、台板１０の後端部に一対の第１部材６間を通って後方に延在する把手部７を設け、該把手部７が支持部材１１に支持されるような構成にしてある。【選択図】図１
2009232956.tif 000002
【特許請求の範囲】
【請求項１】
一対の前脚をなす第１部材と一対の後脚をなす第２部材とが第１枢支部を介して前後折り畳み自在となるように側面視略Ｘ字状に連結され、
一対の第２部材の上端部が台板の下面に第２枢支部を介して上下揺動自在に連結され、
第１枢支部よりも上方位置の第１部材に、台板の後端部を支持するための支持部材を設け、
台板の後端部に一対の第１部材間を通って後方に延在する把手部を設け、該把手部が支持部材に支持されるように構成されていることを特徴とする折り畳み構造。
【請求項２】
把手部が一対の第１部材の間から前方に抜けるのを防止するための抜け止め部を、把手部に設けたことを特徴とする請求項１に記載の折り畳み構造。
【請求項３】
把手部に、第１部材の支持部材と係脱自在に係合する係合部を設けたことを特徴とする請求項１または請求項２に記載の折り畳み構造。
【請求項４】
請求項１乃至請求項３のいずれか１項に記載の折り畳み構造を備えた折り畳み椅子。
【発明の詳細な説明】
【技術分野】
【０００１】
本発明は、折り畳み構造及び折り畳み椅子に関するものである。
【背景技術】
【０００２】
前脚と後脚とが枢支部材を介して前後折り畳み自在となるように側面視略Ｘ字状に連結された折り畳み構造の折り畳み椅子が知られている。このような折り畳み椅子は、通常、座板下面に後脚の上端部及び前脚の長手方向中央部がそれぞれ揺動自在に連結された構造を有し、座板を揺動することで前後に折り畳むことができるようになっている。
【０００３】
また、前脚と後脚を互いの中間部分で軸着することによりＩ字状からＸ字状に回動する脚部前記構造の脚部を有する折り畳み椅子において、脚部に対し背もたれ及び座面を軸着することにより、折り畳んだ際の面積を可及的に小さくでき、収納及び運搬が容易な折り畳み椅子に関する開示がある（下記特許文献１参照）。
【０００４】
【特許文献１】特開２００４−３４４４３８号公報
【発明の開示】
【発明が解決しようとする課題】
【０００５】
しかしながら、従来の折り畳み椅子の折り畳み構造は、開いた際に座面が浮き上がるのを防止するためにロック機構を備えており、このロック機構は、一般に、座板下面に垂設された板状部材に穴部が形成され、バネにより付勢された凸状の挿通部材をこの穴部に挿通するといったものであり、バネの付勢に反して挿通部材を穴部から引き抜くことによりロックを解除できる。
【０００６】
この場合、折り畳み椅子を折り畳む際にはロックを解除しなければならず、かかるロックの解除作業は、座板に隠れた見えにくい部分での操作となって困難であり、バネの付勢によって指等を怪我するといった不具合が生じていた。
【０００７】
また、上記特許文献１に記載の折り畳み椅子は、折り畳んだ際の面積を小さくできるものの、座面に腰掛けた際の安定性に欠け、座面の浮き上がりを防止する機能も有しない。
【０００８】
本発明は、上記した従来の問題点に鑑みてなされたものであって、バネによる付勢など必要とせず、容易に折り畳み、開くことが可能で、開いた状態における安定性の良好な折り畳み構造及び折り畳み椅子の提供を目的とする。
【課題を解決するための手段】
【０００９】
上記目的を達成するために、本発明に係る折り畳み構造は、一対の前脚をなす第１部材と一対の後脚をなす第２部材とが第１枢支部を介して前後折り畳み自在となるように側面視略Ｘ字状に連結され、一対の第２部材の上端部が台板の下面に第２枢支部を介して上下揺動自在に連結され、第１枢支部よりも上方位置の第１部材に、台板の後端部を支持するための支持部材を設け、台板の後端部に一対の第１部材間を通って後方に延在する把手部を設け、該把手部が支持部材に支持されるような構成にしてある。
【００１０】
また、前記構成において、把手部に、一対の第１部材の間から抜けるのを防止する抜け止め部を設けたものである。
【００１１】
そして、前記した各構成において、把手部に、第１部材の支持部材と係脱自在に係合する係合部を設けたものである。
【００１２】
更に、前記した各構成を有する折り畳み構造を備えた折り畳み椅子である。
【発明の効果】
【００１３】
本発明に係る折り畳み構造によれば、一対の前脚をなす第１部材と一対の後脚をなす第２部材とが第１枢支部を介して前後折り畳み自在となるように側面視略Ｘ字状に連結され、一対の第２部材の上端部が台板の下面に第２枢支部を介して上下揺動自在に連結され、第１枢支部よりも上方位置の第１部材に、台板の後端部を支持するための支持部材を設け、台板の後端部に一対の第１部材間を通って後方に延在する把手部を設け、該把手部が支持部材に支持されるような構成にしたので、第２部材に設けた支持部材が台板の後端部に設けた把手部を支持し、折り畳む際には該把手部を上方に引き上げるだけで容易に折り畳むことの可能な折り畳み構造を提供ができる。
【００１４】
また、把手部に、一対の第１部材の間から抜けるのを防止する抜け止め部を設けた場合には、該抜け止め部によって台板が前方に外れるのを防止することができる。
【００１５】
そして、把手部に、第１部材の支持部材と係脱自在に係合する係合部を設けた場合は、係合部が支持部材に係合することで、折り畳み構造の安定性を良好にすることができる。
【００１６】
更に、前記した各構成を有する折り畳み構造を備えた折り畳み椅子は、簡単な構造により容易に製造可能な折り畳み椅子を提供できる。
【発明を実施するための最良の形態】
【００１７】
本発明の最良の実施形態を図面に基づいて説明する。
ここに、図１は本発明の一実施形態に係る折り畳み構造を備えた折り畳み椅子の右側面図、図２は前記折り畳み椅子の背面図、図３は前記折り畳み椅子の斜視図、図４は前記折り畳み椅子の把手部の拡大図、図５は前記折り畳み椅子を下方から見た斜視図、図６は前記折り畳み椅子の使用態様図である。
各図において、この実施形態に係る折り畳み構造２０を備えた折り畳み椅子１は、下部が一対の前脚２をなす第１部材５と、下部が一対の後脚３をなす第２部材４とが第１枢支部６を介して前後折り畳み自在となるように側面視略Ｘ字状に連結されている。
【００１８】
一対の第２部材４の上端部は図５に示すように、座板としての台板１０下面の略中央部に第２枢支部１２を介して上下揺動自在に連結されている。また、図１，２に示すように、第１部材５の第１枢支部６よりも上方位置となる長手方向略中央部には、台板１０の後端部を支持するための支持部材１１を設けている。本実施形態においては支持部材１１は左右一対の第１部材５に架設した連結部材により構成されている。
【００１９】
また、一対の第１部材５の上端部は逆Ｕ字状に繋がっており、背もたれ部１３を支持しており、左右一対の第２部材４は下部において連結部材４ａにより連結されている。
【００２０】
図３に示すように、台板１０は、平面視略矩形状に形成され、台板１０の後端部には、一対の第１部材５間を通って後方に延在する把手部７を設け、該把手部７が支持部材１１によって下方から支持されるようになっている。把手部７は所定直径を有するパイプまたは針金などの線状部材により構成され、図３に示すように、屈曲された該線状部材の両端部が台板１０下面に固定されている。
【００２１】
把手部７には、第１部材５の支持部材１１と係脱自在に係合する係合部８を設けている。係合部８は、折り畳み椅子１を開いた状態において、把手部７を構成する線状部材が支持部材１１上面に当接する位置より後方で略直角乃至約１００°程度下方に屈曲して形成された第１屈曲部１４を備えている。この第１屈曲部１４を有することによって、把手部７が断面円形状の支持部材１１の上面及び背面の２点に当接することとなり、支持部材１１に係合するようになっている。
【００２２】
また、把手部７には、該把手部７が一対の第１部材５の間から前方に抜けるのを防止するための抜け止め部９を設けており、該抜け止め部９は、図４に示す折り畳み椅子１が開いた状態において、把手部７を構成する線状部材が第１屈曲部１４の下方でそれぞれ左右外方に略直角に屈曲した第２屈曲部１５により形成され、これによって把手部７は平面視後方が左右外方に膨出した形状になっている。
【００２３】
そして、抜け止め部９から後方に水平に延在した左右の線状部材が台板１０の後方で繋がっており、この台板１０の後方で繋がった部分を掴むようになっている。
【００２４】
第１屈曲部１４から台板１０の後端部までの寸法Ｌは、折り畳み椅子１を開いた状態を安定して保持できるよう所定の長さとなっている。第１屈曲部１４から台板１０の後端部までの寸法Ｌが短過ぎると、前脚２と後脚３との間隔が狭くなって倒れやすくなり、寸法Ｌが長過ぎると前脚２と後脚３との間隔が広くなるため折り畳み椅子１の安定性は増大するものの、前後脚２，３が不必要に前後に突出するので、折り畳み椅子１の設置面積が広くなる。
【００２５】
引続き、折り畳み椅子１の動作につき、以下に説明する。折り畳んだ状態の折り畳み椅子１を開く場合には、背もたれ部１３等を一方の手で支持した状態で他方の手で把手部７を把持し、該把手部７を下方に引き下げ、係合部８を支持部材１１に係合させる。これにより、非常に小さい力で容易に折り畳み椅子１を開くことができる。
【００２６】
また、逆に開いた状態の折り畳み椅子１を畳む際は、図７（ａ），（ｂ）に示すように、片手で把手部７を把持し、上方に引き上げ、台板１０を傾斜させつつ前脚２と後脚３とを接近させる。これにより、非常に容易に折り畳み椅子１を折り畳むことができる。
【００２７】
よって、従来の折り畳み椅子のように、バネによって付勢されたロック機構などは不要であり、容易に折り畳み、開くことができ、折り畳みの際に指等を怪我することもなく安全である。
【００２８】
また、把手部７が一対の第１部材５の間から前方に抜けるのを防止する抜け止め部９を把手部７に設けたので、把手部７が前方へ外れることがなく、よって台板１０を所定位置に保持できる。また、抜け止め部９を第１部材５の長手方向背面側に沿ってスライドさせることで、容易に折り畳み椅子１を折り畳み、また開くことができる。
【００２９】
そして、把手部７に、第１部材５の支持部材１１と係脱自在に係合する係合部８を設けたので、把手部７が支持部材１１に係合して外れるのを防止でき、これにより、台板１０が上方に浮き上がらないよう台板１０をロックすることができる。このように係合部８を用いて台板１０をロックすることにより、バネ等用いていないので、構造が非常に簡単で製造コストがかからず、また、ロックを解除する際は把手部７を上方に引き上げるだけで安全容易にロックの解除が可能となる。
【００３０】
尚、上記の実施形態では、折り畳み構造２０を折り畳み椅子１に用いた場合を例示しているが、本発明の折り畳み構造はそれに限定されるものでなく、例えば、折り畳みテーブル、折り畳み式の台、脚立などについても、同様の折り畳み構造を採用することができるものである。また、支持部材１１は左右一対の第１部材５に架設した連結部材により構成したが、これに限定されず、例えば、左右の第１部材の対向面から各々内方に突出した突出部であってもよい。また、把手部７は線状部材により構成したが、板状部材であってもよく、該板状部材に一対の第１部材の間から前方に抜けるのを防止するための抜け止め部及び第１部材の支持部材と係脱自在に係合する係合部を設けてもよい更に、把手部に抜け止め部及び係合部を設けたが、必ずしも設けなくてもよい。
【図面の簡単な説明】
【００３１】
【図１】本発明の一実施形態に係る折り畳み椅子の右側面図である。
【図２】前記折り畳み椅子の背面図である。
【図３】前記折り畳み椅子の斜視図である。
【図４】前記折り畳み椅子の把手部分の拡大図である。
【図５】前記折り畳み椅子の座板下面の部分拡大図である。
【図６】前記折り畳み椅子の使用態様図である。
【符号の説明】
【００３２】
１    折り畳み椅子
２    前脚
３    後脚
４    第２部材
５    第１部材
６    第１枢支部
７    把手部
８    係合部
９    抜け止め部
１０  台板
１１  支持部材
１２  第２枢支部
２０  折り畳み構造
【図１】
2009232956.tif 000003
【図２】
2009232956.tif 000004
【図３】
2009232956.tif 000005
【図４】
2009232956.tif 000006
【図５】
2009232956.tif 000007
【図６】
2009232956.tif 000008